(57)【要約】【課題】本発明は乾燥カバーに関するもので、一人で乾燥カバーを容易に装着できるものである。【解決手段】そしてこの目的を達成するために本発明は、下面が開口した箱状の本体カバー１と、この本体カバー１の上面に設けた上面開口部７と、この上面開口部７から本体カバー１の上面の途中までの第１の切れ目部８と、この第１の切れ目部８の下端部から本体カバー１の側面の途中までの第２の切れ目部９とからなり、第１の切れ目部８には開閉自在である第１の開閉手段１０を設け、第２の切れ目部には開閉自在である第２の開閉手段１１を設けたものである。【選択図】図１
2010162053.tif 000002
【特許請求の範囲】
【請求項１】
下面が開口した箱状の本体カバーと、この本体カバーの上面に設けた上面開口部と、この上面開口部から前記本体カバーの上面の途中までの第１の切れ目部と、この第１の切れ目部の下端部から前記本体カバーの側面の途中までの第２の切れ目部とからなり、前記第１の切れ目部には開閉自在である第１の開閉手段を設け、前記第２の切れ目部には開閉自在である第２の開閉手段を設けた乾燥カバー。
【請求項２】
第１の開閉手段は、マジックテープ（登録商標）である請求項１記載の乾燥カバー。
【請求項３】
第２の開閉手段は、ファスナーである請求項１記載の乾燥カバー。
【請求項４】
第２の開閉手段である前記ファスナーは、前記本体カバーの上面から側面に下ろすことにより前記第２の切れ目部が開く請求項３記載の乾燥カバー。
【請求項５】
本体カバーの側面下部に延長シートを設け、この延長シートは２側面の１部と１側面とを下方向に延ばすようなコの字形状で、高さが前記本体カバーとほぼ同じであり前記本体カバーに着脱自在である請求項１〜４のいずれかに記載の乾燥カバー。
【請求項６】
延長シートは前面側側面と背面側側面の一部と左右側面のどちらか一方とから下方に垂れ下がるように取付られる、請求項５記載の乾燥カバー。
【請求項７】
延長シートは前記本体カバーの左右側面の一部と背面側側面とから下方に垂れ下がるように取付られる、請求項５記載の乾燥カバー。
【発明の詳細な説明】
【技術分野】
【０００１】
本発明は、衣類ハンガーに吊り下げられた衣類等の乾燥物を乾燥温風を供給して乾燥させる乾燥カバーに関する。
【背景技術】
【０００２】
従来のこの種の乾燥カバーの構成は以下のようになっていた。
【０００３】
すなわち、下方部の側壁に接続部を設けた箱状の本体カバーと、この本体カバーの上面に設けた上面開口部と、この上面開口部から前記本体カバーの側面の切れ目部とからなり、前記切れ目部には開閉自在である開閉手段を設けた乾燥カバー。
【特許文献１】特開２００６−２８０４９６号公報
【発明の開示】
【発明が解決しようとする課題】
【０００４】
上記従来例における課題は、一人で乾燥カバーを装着するのに手間がかかるということであった。
【０００５】
すなわち、従来の物においては、衣類ハンガーに濡れた洗濯物を吊り下げ、その後に、洗濯物を覆うように乾燥カバーを装着していた。
【０００６】
しかし、衣類ハンガーに濡れた洗濯物を吊り下げると、一人で洗濯物を覆うように乾燥カバーを装着する場合に、洗濯物の周囲に手が回らないので、乾燥カバーを衣類ハンガーに引っ掛け、乾燥カバーが衣類ハンガーから落ちないようにしながら乾燥カバーを装着しなければならないので、乾燥カバーの装着に手間がかかっていた。
【０００７】
そこで本発明は、一人で乾燥カバーを容易に装着できることを目的とするものである。
【課題を解決するための手段】
【０００８】
そしてこの目的を達成するために本発明は、下面が開口した箱状の本体カバーと、この本体カバーの上面に設けた上面開口部と、この上面開口部から前記本体カバーの上面の途中までの第１の切れ目部と、この第１の切れ目部の下端部から前記本体カバーの側面の途中までの第２の切れ目部とからなり、前記第１の切れ目部には開閉自在である第１の開閉手段を設け、前記第２の切れ目部には開閉自在である第２の開閉手段を設け、これにより、初期の目的を達成するものである。
【発明の効果】
【０００９】
以上のように本発明は、下面が開口した箱状の本体カバーと、この本体カバーの上面に設けた上面開口部と、この上面開口部から前記本体カバーの上面の途中までの第１の切れ目部と、この第１の切れ目部の下端部から前記本体カバーの側面の途中までの第２の切れ目部とからなり、前記第１の切れ目部には開閉自在である第１の開閉手段を設け、前記第２の切れ目部には開閉自在である第２の開閉手段を設け、一人で乾燥カバーを容易に装着できるものである。
【００１０】
すなわち、衣類ハンガーに濡れた洗濯物を吊り下げる前に、まず、衣類ハンガーに乾燥カバーを第１の切れ目部の第１の開閉手段と、第２の切れ目部の第２の開閉手段とを開いた状態で、上面開口部から衣類ハンガーの引っ掛け部が上方に出るように被せる。次に、第１の切れ目部の第１の開閉手段を閉じることによって、乾燥カバーを衣類ハンガーに固定する。その状態で、乾燥カバー内の衣類ハンガーに濡れた洗濯物を吊り下げる。そして、衣類ハンガーに濡れた洗濯物を吊り下げ終わると、第２の切れ目部の第２の開閉手段を閉じることにより、乾燥カバーを容易に装着できるものである。
【００１１】
これらの結果により、一人で乾燥カバーを容易に装着できるものである。
【発明を実施するための最良の形態】
【００１２】
以下、本実施形態を添付図面を用いて説明する。
【００１３】
（実施の形態１）
図１および図２に示すように、本実施形態の乾燥カバーは、下面が開口した箱状の本体カバー１から形成されている。
【００１４】
乾燥カバーは洗濯物５が吊り下げられた衣類ハンガー２を介して吊り下げられ、この乾燥カバーの下には、除湿装置３を設置し、この除湿装置３から上方に吹出す乾燥温風空気４によって洗濯物５を乾かすものである。
【００１５】
本実施形態における特徴は、本体カバー１である。この本体カバー１は、箱状で下面は開口し、上面には上面開口部７を設けている。この上面開口部７から本体カバー１の上面の途中までの第１の切れ目部８と、この第１の切れ目部８の下端部から本体カバー１の側面の途中までの第２の切れ目部９とを備えている。そして、第１の切れ目部８には開閉自在である第１の開閉手段１０を、第２の切れ目部９には開閉自在である第２の開閉手段１１を設けている。
【００１６】
すなわち、衣類ハンガー２に濡れた洗濯物５を吊り下げる前に、まず、衣類ハンガー２に乾燥カバーを第１の切れ目部８の第１の開閉手段１０と、第２の切れ目部９の第２の開閉手段１１とを開いた状態で、上面開口部７から衣類ハンガー２の引っ掛け部が上方に出るように被せる。次に、第１の切れ目部８の第１の開閉手段１０を閉じることによって、乾燥カバーを衣類ハンガー２に固定する。その状態で、乾燥カバー内の衣類ハンガー２に濡れた洗濯物５を吊り下げる。そして、衣類ハンガー２に濡れた洗濯物５を吊り下げ終わると、第２の切れ目部９の第２の開閉手段１１を閉じることにより、乾燥カバーを容易に装着できるものである。
【００１７】
これらの結果により、一人で乾燥カバーを容易に装着できるものである。
【００１８】
また、第１の開閉手段１０はマジックテープ（登録商標）である。具体的には、第１の切れ目部８を境に、一方側の本体カバー１の外側表面にフック状のマジックテープ（登録商標）を固定し、他方側の本体カバー１の外側表面に一端が固定された長方形形状のパイル状のマジックテープ（登録商標）を設けている。すなわち、上面開口部７から衣類ハンガー２の引っ掛け部が上方に出るように被せ、第１の切れ目部８の第１の開閉手段１０であるフック状のマジックテープ（登録商標）とパイル状のマジックテープ（登録商標）とを重ね合わせて閉じることによって、乾燥カバーを衣類ハンガー２に容易に固定することができる。
【００１９】
また、第２の開閉手段１１はファスナーである。すなわち、第２の切れ目部９のそれぞれの端部にファスナーのチェーンを固定し、このチェーンをスライダーにより開閉することにより第２の切れ目部９を開閉することができる。これにより、第２の開閉手段１１であるファスナーを開いた状態で乾燥カバー内の衣類ハンガー２に濡れた洗濯物５を吊り下げた後、第２の開閉手段１１であるファスナーを閉じることにより、乾燥カバーを容易に装着ができるものである。
【００２０】
また、第２の開閉手段１１であるファスナーは本体カバー１の上面から側面に下ろすことにより第２の切れ目部９が開くものである。すなわち、ファスナーのスライダーを本体カバー１の上面から側面に下ろすことにより、第２の開閉手段１１であるファスナーが開くものである。これにより、第１の開閉手段１０はマジックテープ（登録商標）と第２の開閉手段１１であるファスナーとを共に開くことにより、第１の切れ目部８と第２の切れ目部９とからなる一つの大開口１６ができる。洗濯物５の乾燥が終わった場合に、この大開口１６を開くことにより衣類ハンガー２に洗濯物５が吊り下がった状態で、乾燥カバーを外すことが出来る。また、第２の切れ目部９は第１の切れ目部８の下端部から本体カバー１の側面の途中までなので、第２の開閉手段１１であるファスナーを開ききってもファスナーのスライダーがチェーンから外れることがないので、乾燥カバーを収納する時にも、スライダーをチェーンに嵌め直したりせず、スライダーを上げるだけで第２の切れ目部９を容易に閉じることが出来る。
【００２１】
（実施の形態２）
実施の形態２は図３に示すように、実施の形態１に対し、延長シート１２を設けた点が相違する。
【００２２】
延長シート１２は本体カバー１に着脱自在で、本体カバー１の二側面の一部と一側面とを下方向に延ばすようなコの字形状で、高さは本体カバー１とほぼ同じである。具体的には、延長シート１２は略横長四角形状で、延長シート１２の上端部に複数の固定手段を有している。この固定手段（図示せず）はマジックテープ（登録商標）などあり、本体カバーの下端部の複数の固定手段に固定することにより、延長シート１２は本体カバー１にぶら下がった状態で固定される。ここで、本体カバー１の下端部の複数の固定手段は、本体カバー１の二側面の一部と一側面の下端部に付いているので、延長シート１２は本体カバー１に水平方向の断面形状がコの字形状でぶら下がった状態となる。これにより、ワンピースなどの背丈の長い服を乾燥させる場合にも、衣類ハンガー２にワンピースを吊り下げ本体カバー１で覆った後、この本体カバー１に延長シート１２を固定することができるので、延長シート１２で容易に覆うことが出来る。
【００２３】
また、延長シート１２のコの字形状の内面側に対向する位置に除湿装置３の吸込口１３を向けることにより、除湿装置３から上方方向に吹出す乾燥温風空気４は、本体カバー１内を循環し衣類から湿気を奪いながら、本体カバー１および延長シート１２の内面に沿って下方方向に流れ、主に除湿装置３の吸込口１３に流れ込むので、衣類からの湿気が室内にもれることを低減できる。
【００２４】
また、延長シート１２は前面側側面１４と背面側側面１５の一部と左右側面のどちらか一方とから下方に垂れ下がるように取り付られるので、すなわち、本体カバー１の下端部の複数の固定手段が、本体カバー１の前面側側面１４と背面側側面１５の両端部と左右側面の下端部とに付いているので、延長シート１２を本体カバー１の左右どちら側にも水平方向の断面形状がコの字形状にぶら下がり固定できるので、ワンピースなどの背丈の長い服を左右どちらにでも吊るすことが出来る。
【００２５】
また、延長シート１２は本体カバー１の左右側面の一部と背面側側面１５とから下方に垂れ下がるように取り付られる、すなわち、本体カバー１の下端部の複数の固定手段が、本体カバー１の左右側面の両端部と背面側側面１５の下端部とに付いているので、延長シート１２を本体カバー１の背面側に水平方向の断面形状がコの字形状にぶら下がり固定できるので、延長シート１２のコの字形状の内面側に対向する位置に除湿装置３の吸込口１３を向けることにより、除湿装置３から上方方向に吹出す乾燥温風空気４は、本体カバー１内を循環し衣類から湿気を奪いながら、本体カバー１および延長シート１２の内面に沿って下方方向に流れ、主に除湿装置３の吸込口１３に流れ込むので、衣類からの湿気が室内にもれることを低減できる。
【産業上の利用可能性】
【００２６】
以上のように本発明は、下面が開口した箱状の本体カバーと、この本体カバーの上面に設けた上面開口部と、この上面開口部から前記本体カバーの上面の途中までの第１の切れ目部と、この第１の切れ目部の下端部から前記本体カバーの側面の途中までの第２の切れ目部とからなり、前記第１の切れ目部には開閉自在である第１の開閉手段を設け、前記第２の切れ目部には開閉自在である第２の開閉手段を設け、一人で乾燥カバーを容易に装着できるものである。
【００２７】
すなわち、衣類ハンガーに濡れた洗濯物を吊り下げる前に、まず、衣類ハンガーに乾燥カバーを第１の切れ目部の第１の開閉手段と、第２の切れ目部の第２の開閉手段とを開いた状態で、上面開口部から衣類ハンガーの引っ掛け部が上方に出るように被せる。次に、第１の切れ目部の第１の開閉手段を閉じることによって、乾燥カバーを衣類ハンガーに固定する。その状態で、乾燥カバー内の衣類ハンガーに濡れた洗濯物を吊り下げる。そして、衣類ハンガーに濡れた洗濯物を吊り下げ終わると、第２の切れ目部の第２の開閉手段を閉じることにより、乾燥カバーを容易に装着できるものである。
【００２８】
これらの結果により、一人で乾燥カバーを容易に装着できるものである。
【００２９】
従って、家庭用や事務所用などの、乾燥カバーとして活用が期待されるものである。
【図面の簡単な説明】
【００３０】
【図１】本発明の実施の形態１の乾燥カバーの概略断面図
【図２】本発明の実施の形態１の乾燥カバーの概略断面図
【図３】本発明の実施の形態２の延長シート例１の概略断面図
【図４】本発明の実施の形態２の延長シート例２の概略断面図
【符号の説明】
【００３１】
１      本体カバー
７      上面開口部
８      第１の切れ目部
９      第２の切れ目部
１０    第１の開閉手段
１１    第２の開閉手段
【図１】
2010162053.tif 000003
【図２】
2010162053.tif 000004
【図３】
2010162053.tif 000005
【図４】
2010162053.tif 000006